(57)【要約】      （修正有）【課題】日本茶や中国茶等の茶類を好みの濃度に抽出することが可能なフィルター付き飲料ボトルを提供する。【解決手段】第一の開口部２０及び第一の孔部２２が設けられた本体２と、第二の開口部４０及び第二の孔部が設けられ、本体に対して回動可能に形成された収容部４と、収容部４内に収容されるフィルター５と、第一の開口部２０を閉塞する第一のキャップ３と、第二の開口部４０を閉塞する第二のキャップ７を備え、本体２と収容部４を相対的に回動させることにより、第一の孔部と第二孔部を連通させることで本体内に注がれた湯を収容部へ流入させ、第一の孔部と第二孔部を不一致とすることで本体内の湯が収容部へ流入することを阻止する。【選択図】図２
0003210714.tif 000002
【実用新案登録請求の範囲】
【請求項１】
一端側に第一の開口部が設けられると共に、他端側に１又は複数の第一の孔部が設けられた本体と、
一端側に第二の開口部が設けられると共に、他端側に１又は複数の第二の孔部が設けられ、内部にフィルターが収容される収容部であって、前記本体の他端側に水密、且つ、一体に取り付けられると共に、前記本体に対して回動可能に形成された収容部と、
前記第一の開口部を水密に閉塞する着脱自在の第一のキャップと、
前記第二の開口部を水密に閉塞する着脱自在の第二のキャップと、
を備え、
前記本体と前記収容部を相対的に回動させることにより、前記第一の孔部と前記第二孔部を互いに連通させることで前記本体内に注がれた湯を前記収容部へ流入可能とすると共に、前記第一の孔部と前記第二孔部の位置を不一致とすることで前記本体内の湯が前記収容部へ流入することを阻止するようにされたことを特徴とするフィルター付き飲料ボトル。
【請求項２】
請求項１に記載のフィルター付き飲料ボトルにおいて、
前記本体は、内筒及び外筒を備えた二重構造とされていることを特徴とするフィルター付き飲料ボトル。
【請求項３】
請求項１又は２に記載のフィルター付き飲料ボトルにおいて、
前記第一の開口部には、内部の飲料の流出を調整するための飲み口を備えた内蓋が配置されていることを特徴とするフィルター付き飲料ボトル。
【請求項４】
請求項１から３のいずれか１項に記載のフィルター付き飲料ボトルにおいて、
前記第一のキャップ又は前記第二のキャップのいずれを下にしても自立するようにされていることを特徴とするフィルター付き飲料ボトル。
【考案の詳細な説明】
【技術分野】
【０００１】
本考案は、フィルター付き飲料ボトルに関し、さらに詳しくは、日本茶や中国茶等の茶類を好みの濃度に抽出することが可能なフィルター付き飲料ボトルに関する。
【背景技術】
【０００２】
日本茶や紅茶などを飲む場合、通常、茶漉し付きの急須を用意し、その中に適量の茶葉を入れて適量の湯を注ぎ、しばらく待って好みの濃度となった時点で湯飲み茶碗等に注ぐという方法が用いられる。しかしながら、お茶を外出先やオフィスなどで飲みたい場合には少々煩わしい。そのため、お茶を手軽に楽しむために、例えば、特許文献１に示すような漉し器付き保温ボトルが提案されている。特許文献１に示す漉し器付き保温ボトルは、上部に開口を有する熱容器の上部に円筒状の栓体を取付け、この栓体内に漉し器を装填した構成とし、茶等を入れた漉し器に湯を注いで茶が浸浸するまで注入すると、抽出と保温が可能になるというものである。
【先行技術文献】
【特許文献】
【０００３】
【特許文献１】特開２００９−２９７１９２号公報
【考案の概要】
【考案が解決しようとする課題】
【０００４】
しかし、上記した従来の漉し器付き保温ボトルは、漉し器に湯が浸るまで湯を注入して抽出を行うため、湯がフィルターに浸っている限り抽出が続くことから長時間の浸漬が必要なハーブ茶のようなものには最適であっても比較的短時間に抽出が完了する日本茶等では濃くなり過ぎるという不都合がある。
【０００５】
そこで、本考案は、かかる問題点に鑑みなされたもので、日本茶、紅茶、中国茶、ハーブティー等の茶類を好みの濃度に抽出することが可能なフィルター付き飲料ボトルを提供することを目的とする。
【課題を解決するための手段】
【０００６】
上記目的を達成するため、請求項１に記載の本考案は、一端側に第一の開口部が設けられると共に、他端側に１又は複数の第一の孔部が設けられた本体と、一端側に第二の開口部が設けられると共に、他端側に１又は複数の第二の孔部が設けられ、内部にフィルターが収容される収容部であって、前記本体の他端側に水密、且つ、一体に取り付けられると共に、前記本体に対して回動可能に形成された収容部と、前記第一の開口部を水密に閉塞する着脱自在の第一のキャップと、前記第二の開口部を水密に閉塞する着脱自在の第二のキャップとを備え、前記本体と前記収容部を相対的に回動させることにより、前記第一の孔部と前記第二孔部を互いに連通させることで前記本体内に注がれた湯を前記収容部へ流入可能とすると共に、前記第一の孔部と前記第二孔部の位置を不一致とすることで前記本体内の湯が前記収容部へ流入することを阻止するようにされたことを特徴とするフィルター付き飲料ボトルを提供する。
【０００７】
上記目的を達成するため、請求項２に記載の本考案は、請求項１に記載のフィルター付き飲料ボトルにおいて、前記本体は、内筒及び外筒を備えた二重構造とされていることを特徴とするフィルター付き飲料ボトルであることを特徴とする。
【０００８】
上記目的を達成するため、請求項３に記載の本考案は、請求項１又は２に記載のフィルター付き飲料ボトルにおいて、前記第一の開口部には、内部の飲料の流出を調整するための飲み口を備えた内蓋が配置されていることを特徴とするフィルター付き飲料ボトルであることを特徴とする。
【０００９】
上記目的を達成するため、請求項４に記載の本考案は、請求項１から３のいずれか１項に記載のフィルター付き飲料ボトルにおいて、前記第一のキャップ又は前記第二のキャップのいずれを下にしても自立するようにされていることを特徴とするフィルター付き飲料ボトルであることを特徴とする。
【考案の効果】
【００１０】
本考案に係るフィルター付き飲料ボトルによれば、フィルター部分と本体内の他の部分との連通状態を選択できるようにしたので、日本茶や中国茶等の茶類を好みの濃度に抽出することが可能になるという効果がある。
【図面の簡単な説明】
【００１１】
【図１】本考案に係るフィルター付き飲料ボトルの一実施形態を示す斜視図である。
【図２】図１に示すフィルター付き飲料ボトルの分解斜視図である。
【図３】第一の孔部側から見た本体の斜視図である。
【図４】第二の開口部側から見た収容部の斜視図である。
【図５】（ａ）は本体の底部を示す平面図、（ｂ）は収容部の上面図である。
【図６】第一のキャップの内側を示す斜視図である。
【図７】内蓋の斜視図である。
【図８】フィルターの構成を示す斜視図である。
【図９】図１に示すフィルター付き飲料ボトルの使用方法の説明図である。
【考案を実施するための形態】
【００１２】
［フィルター付き飲料ボトルの構成］
以下、本考案に係るフィルター付き飲料ボトルについて好ましい一実施形態に基づいて詳細に説明する。図１は本考案に係るフィルター付き飲料ボトルの一実施形態を示す斜視図、図２は図１に示すフィルター付き飲料ボトルの分解斜視図である。図示されたフィルター付き飲料ボトル１は、概略として、一端側（湯の注入側）が開口されると共に他端側に第一の孔部２２，２２が設けられた本体２と、本体２の一端に着脱自在にねじ込まれる第一のキャップ３と、本体２の他端側に水密、且つ、一体に取り付けられると共に、本体２に対して回動可能に形成された収容部４と、収容部４内に着脱自在に装填されたフィルター（茶漉）５と、本体２の一端の内側に着脱自在に取り付けられる内蓋６と、収容部４の開放端（図１の下側）に着脱自在にねじ込まれる第二のキャップ７を備えて構成されている。
【００１３】
［本体２の構成］
図３は第一の孔部側から見た本体の斜視図である。本体２は、一端（図１では上端）に第一のキャップ３を取り付けるための第一の開口部２０が形成されており、その外周面にはネジ溝２１が設けられている。そして、本体２は透明の筒体で、合成樹脂材（例えば、飽和ポリエステル樹脂）で形成されており、図１及び図５（ａ）に示すように外筒２ａと内筒２ｂの二重構造となっている。これにより、熱い湯を注いでも手は熱くなく、しかも保温（又は保冷）効果もある。さらに、本体２の底部（図１及び図３の下面）２ｃには図５（ａ）に示すように複数の貫通孔（本実施形態では３つ）による第一の孔部２２，２２が中心に対して１２０°間隔に設けられており、さらに裏面（収容部４側）には円環状のゴム等によるシール２３，２３が第一の孔部２２，２２の周囲を囲むようにして取り付けられている。
【００１４】
［収容部４の構成］
図４は第二の開口部側から見た収容部の斜視図である。収容部４は、図１に示すように、透明の筒体であり、本体２と同様の合成樹脂材によって同一の外径に形成されている。第二の開口部４０の外周面には第二のキャップ７を取り付けるためのネジ溝４１が形成されている。収容部４は、上述のように、本体２に一体に連結されており、その連結部は外部への漏水防止のための水密を図りつつ回動可能とされ、これにより本体２と収容部４とを相対的に回動させることができるようになっている。尚、連結部を外部に対して密封する手段としては、例えば、図示しないパッキンを収容部４と本体２の境界部分（図１のＡ−Ａ位置）に配設することで連結部分、すなわち、回動の境界部分から液漏れが生じないようにしている。さらに、図４及び図５（ｂ）に示すように、収容部４の天井部４ａには、本体２と収容部４との相対的な回動に応じて本体２の３つの第一の孔部２２，２２に合致しまた不一致となる貫通孔による同数の第二の孔部４２，４２が設けられている。第二の孔部４２，４２は、第一の孔部２２，２２と同一の内径及び同一の位置に設定され、両者が完全に重なると本体側のシール２３，２３によって孔部の周囲が封止されるため、孔部からの液漏れが防止される。また、収容部４の天井部４ａの中心にはネジ４３が本体２の底部２ｃを貫通するように立設され、このネジ４３が底部２ｃと天井部４ａが相対的に回動する際の回動軸及び連結部材として機能している。収容部４の内部には第二の開口部４０を介して後述するフィルター５が収容される。
【００１５】
本体２と収容部４とを相対的に回動させることにより第一の孔部２２，２２と第二の孔部４２，４２を合致させる他、第一の孔部２２，２２と第二の孔部４２，４２とが全く重ならないようにすることで本体２と収容部４を隔離することができ、本体２と収容部４の間の液体の通過を遮断することができる。これにより、お茶を好みの濃度に抽出できたら本体２と収容部４を隔離することでお茶がそれ以上抽出されることがない。この遮断の際、パッキン２３，２３が天井部４ａの平坦面に密接して封止が行われるため、第一の孔部２２，２２と天井部４ａの接触面の隙間から液体が漏れ出ることはない。尚、本実施形態では第一のキャップ３及び第二のキャップ７は異なる外径でも同一径であってもよい。
【００１６】
［キャップの構成］
図６は第一のキャップの内側を示す斜視図である。第一のキャップ３と第二のキャップ７とはサイズが異なるのみで同一構造であるので、ここでは第一のキャップ３についてのみ説明する。第一のキャップ３は、片面が閉じられた円筒形状の樹脂製（例えは、ポリプロピレン）であり、底部の外周縁には本体２に設けられたネジ溝２１に合致するネジ溝３０が設けられている。また、底面の周辺にはシリコンゴム製でリング状のシール３１が配設され、本体２内の液体が第一のキャップ３から外部に漏れ出ないようになっている。尚、第一のキャップ３及び第二のキャップ７の天面は平坦とされ、どちら側の面を下にしてもフィルター付き飲料ボトル１を立たせることができるようになっている。
【００１７】
［内蓋の構成］
図７は内蓋の斜視図である。内蓋６は安全性を高め、且つ、外部から塵等が入り込むのを防止するために設けられる。内蓋６は、全体が深皿形状の凹部を有し、その周辺の一部には飲み口又は注ぎ口となる比較的小さな開口６０が設けられている。この開口６０を設けたことにより、例えば抽出した茶が熱い場合に本体２の第一の開口部２０に口を当てて直接に飲んでも、一気に熱い茶が口に入るおそれがなく、火傷や事故等を回避することができる。
【００１８】
［フィルター５の構成］
図８はフィルターの構成を示す斜視図である。フィルター５は、金属材料（例えば、ステンレス）によってカップ状に形成され、その底面及び周面には細かなパンチング孔５０，５０が多数設けられている。パンチング孔５０，５０の大きさは茶葉、枝、茎等が漏れ出さない程度の直径（例えば０．３〜０．５ｍｍ程度）であり、また、パンチング孔５０，５０の間隔は１ｍｍ程度である。
【００１９】
［フィルター付き飲料ボトルの使用方法］
次に、図９を参照しながらフィルター付き飲料ボトル１の使用方法について説明する。図９は図１に示すフィルター付き飲料ボトルの使用方法の説明図である。尚、以下においては日本茶等の茶葉を煎じる場合について説明する。
【００２０】
初めに、第二のキャップ７側を上にしてフィルター付き飲料ボトル１を立てた状態でテーブル等に置く。つまり、図１とは逆の状態にする。次いで、図９（ａ）に示すように、収容部４から第二のキャップ７を取り外す。尚、収容部４内にフィルター５が未装着であるときには装着する。次いで、図９（ｂ）に示すように、収納部４に装着されたフィルター５内に適量の茶葉８を入れた後、第二のキャップ７を装着して密閉する。そして、今度は第二のキャップ７側が下になるようにしてフィルター付き飲料ボトル１を反転させる。つまり図１の状態にする。次いで、図９（ｃ）に示すように、本体２から第一のキャップ３と内蓋６を取り出す。次いで、図９（ｄ）に示すように、ポット７０を用いて第一の開口部２０から適温の湯１０を本体２内に規定のレベルまで注入する。本体２と収容部４を相対に回動させ、第二の孔部４２，４２と第一の孔部２２，２２とを予め合致させ、本体２と収容部４を予め連通させておくことで、注入した湯１０は本体２の底部２ｃの第一の孔部２２，２２及び収容部４の天井部４ａの第二の孔部４２，４２を通ってフィルター５内の茶葉８に注がれ、茶葉は湯１０に浸漬される。適量の湯を注いだら内蓋６及び第一のキャップ３を取り付ける。この状態を保持して茶の抽出を行う。
【００２１】
抽出された茶１１が好みの濃度になったら、図９（ｅ）に示すように、フィルター付き飲料ボトル１を再び上下反転させて第二のキャップ７側が上になるようにする。つまり、図１とは逆の状態にする。すると、茶１１の上限レベルがフィルター５の底面より下がるので茶の抽出は停止する。そして、図９（ｆ）に示すように、本体２と収容部４を同図の矢印方向に相対的に回動させ、本体２の底部２ｃの第一の孔部２２，２２と収容部４の天井部４ａの第二の孔部４２，４２を不一致になるように位置させる。これにより、フィルター５側は茶１１側から隔離される。そして、図９（ｇ）に示すように、フィルター付き飲料ボトル１をフィルター５が下側になるように位置、すなわち、図１の状態にする。この状態では、フィルター５が下側に位置していたとしても茶１１がフィルター側に流入することはなく再抽出されることはない。従って、茶１１の濃度はそれ以上に濃くなることはない。茶１１が抽出されたら第一のキャップ３を外して茶１1を飲むことができる。
【００２２】
［実施形態の効果］
本実施形態に係るフィルター付き飲料ボトル１によれば、茶１１を好み濃さに抽出することができるという効果がある。また、フィルター５を設けていない反対側の第一の開口部２０を注ぎ口とすることで、茶葉をフィルター５内に留めておくことができるため、本体２内の茶葉が漏れ出ることがないという効果がある。さらに、本体２は外筒２ａ及び内筒２ｂを備えた二重構造になっているので、熱い湯を注いだ場合でも手で持つことができると共に保温（又は保冷）が可能になるという効果がある。
【００２３】
また、本体２の注出口側に内部の飲料の流出を調整するための内蓋６を設けたので茶１１が一気に流れ出るのを防止することができるという効果がある。さらに、第一のキャップ３及び第二のキャップ７は表面を平坦としたので第一のキャップ３及び第二のキャップ７のいずれを下側にしても本体２を安定して自立させることができ、湯の注入、茶のフィルター５への茶等の投入、フィルター５の挿入や着脱等を安定かつ手軽に行うことができるという効果がある。
【００２４】
なお、本考案は、上記各実施例に限定されず、本考案の技術思想を逸脱あるいは変更しない範囲内で種々な変形が可能である。例えば、飲料の用途のほか、漢方薬等を煎じるのに用いることもできる。
【符号の説明】
【００２５】
１      フィルター付き飲料ボトル
２      本体
２ａ    外筒
２ｂ    内筒
２ｃ    底部
３      第一のキャップ
４      収容部
４ａ    天井部
５      フィルター
６      内蓋
７      第二のキャップ
８      茶葉
１０    湯
１１    茶
２０    第一の開口部
２２    第一の孔部
２３    シール
３０    ネジ溝
３１    シール
４０  第二の開口部
４１  ネジ溝
４２  第二の孔部
４３    ネジ
５０    パンチング穴
６０    開口
【図１】
0003210714.tif 000003
【図２】
0003210714.tif 000004
【図３】
0003210714.tif 000005
【図４】
0003210714.tif 000006
【図５】
0003210714.tif 000007
【図６】
0003210714.tif 000008
【図７】
0003210714.tif 000009
【図８】
0003210714.tif 000010
【図９】
0003210714.tif 000011